(57)【要約】【課題】  撮影現場での複数のカラーグレーディング処理の優先度を事後に確認できるようにする。【解決手段】  デジタルカメラ１０は撮影画像を仮カラーグレーディング装置１２に供給する。装置１２は、ＣＤＬ生成条件に従って決定したＣＤＬで仮カラーグレーディングをデジタルカメラ１０からの画像に適用する。仮カラーグレーディング装置１２は、１以上の処理結果の各ＣＤＬをデジタルカメラ１０に送信する。デジタルカメラ１０は、受信した各ＣＤＬに対し、対応するＣＤＬ生成条件から優先度を決定し設定する。デジタルカメラ１０は撮影画像にＣＤＬとその優先度を関連付けて記録媒体に記録する。【選択図】  図１
2016220117.tif 000002
【特許請求の範囲】
【請求項１】
画像入力手段と、
前記画像入力手段により入力された画像の見た目を調整パラメータに従い調整する画像処理手段と、
前記画像処理手段による１以上の調整の優先度を、対応する前記調整パラメータに設定する設定手段と、
前記画像入力手段により入力された前記画像を記録媒体に記録する記録手段であって、前記画像処理手段による前記１以上の調整の各調整パラメータと前記優先度とを前記画像に関連付けて前記記録媒体に記録する記録手段
とを有することを特徴とする画像処理システム。
【請求項２】
前記画像処理手段は、前記画像処理手段の種類及び画像表示機器の種類を含む調整パラメータ生成条件に従い前記調整パラメータを決定することを特徴とする請求項１に記載の画像処理システム。
【請求項３】
前記調整パラメータ生成条件は、先に実行されている調整の有無を含むことを特徴とする請求項２に記載の画像処理システム。
【請求項４】
前記設定手段は、前記調整パラメータの決定に使用する前記調整パラメータ生成条件に含まれる各要素の優先度ポイントを加算した結果に従い前記優先度を設定することを特徴とする請求項２または３に記載の画像処理システム。
【請求項５】
前記調整パラメータはＣＤＬ（Color Decision List）であり、前記調整パラメータ生成条件はＣＤＬ生成条件であることを特徴とする請求項２から４の何れか１項に記載の画像処理システム。
【請求項６】
前記画像処理手段は、画像のカラーグレーディングを調整する手段であることを特徴とする請求項１から５の何れか１項に記載の画像処理システム。
【請求項７】
前記設定手段及び前記記録手段を有する撮像装置と、前記画像入力手段及び前記画像処理手段を有する調整装置とを有し、
前記撮像装置が撮影画像を前記調整装置に送信し、
前記調整装置が、前記１以上の調整に使用した前記調整パラメータを前記撮像装置に送信する
ことを特徴とする請求項１から６のいずれか１項に記載の画像処理システム。
【請求項８】
前記記録手段を有する撮像装置と、前記画像入力手段、前記設定手段及び前記画像処理手段を有する調整装置とを有し、
前記撮像装置が撮影画像を前記調整装置に送信し、
前記調整装置が、前記１以上の調整に使用した前記調整パラメータ及び前記優先度を前記撮像装置に送信する
ことを特徴とする請求項１から６のいずれか１項に記載の画像処理システム。
【請求項９】
画像入力手段により入力された画像の見た目を調整パラメータに従い調整する画像処理ステップと、
前記画像処理ステップによる１以上の調整の優先度を、対応する前記調整パラメータに設定する設定ステップと、
前記画像入力手段により入力された前記画像を記録媒体に記録する記録ステップであって、前記画像処理ステップによる前記１以上の調整の各調整パラメータと前記優先度とを前記画像に関連付けて記録媒体に記録する記録ステップ
とを有することを特徴とする画像処理方法。
【請求項１０】
撮像手段と、
前記撮像手段による撮影画像を、その見た目を調整パラメータに従い調整する調整装置に送信し、前記調整装置による１以上の調整の各調整パラメータを取得する通信手段と、
前記調整装置による１以上の調整の優先度を、対応する前記調整パラメータに設定する設定手段と、
前記撮像手段による撮影画像を記録媒体に記録する記録手段であって、前記調整装置による前記１以上の調整の各調整パラメータと前記優先度とを前記撮影画像に関連付けて前記記録媒体に記録する記録手段
とを有することを特徴とする撮像装置。
【発明の詳細な説明】
【技術分野】
【０００１】
本発明は、画像処理システム及び方法並びに撮像装置に関し、より具体的には、カラーグレーディングなどの画像の見た目の調整処理を行う画像処理システム及び方法並びに撮像装置に関する。
【背景技術】
【０００２】
従来、人物等の被写体を撮像して動画像として記録するデジタルカメラ等の撮像装置が存在する。デジタルシネマなどの制作現場では、カット編集とともに、撮影画像の見た目又は雰囲気を調整するカラーグレーディング処理を施すことが一般的である。カラーグレーティング処理では一般に、色、明るさ及びコントラストの調整に加えて、フィルタ効果も加えられる。
【０００３】
この種のカラーグレーディング処理は、撮影後に、編集スタジオなどにおいてカラーグレーディング機材を用いて行われる。一方で、撮影現場において、撮影時に大まかなカラーグレーディングを行っておき、撮影後に細かなカラーグレーディングを行うワークフローも用いられている。撮影時にカラーグレーディングを部分的に行っておくことで、撮影後に行うカラーグレーディングの負荷を減らすことができる。なお、撮影時に複数のカラーグレーディング処理を行い、複数のカラーグレーディング処理結果またはこの処理のためのパラメータを残しておく場合もある。
【０００４】
記録媒体の容量に制限がある場合、複数の画像データに対して優先度を設定し、優先度の低い画像は圧縮処理などを行ってから記録する技術が知られている（特許文献１参照）。
【先行技術文献】
【特許文献】
【０００５】
【特許文献１】特開２０１１−１１４７６１号公報
【発明の概要】
【発明が解決しようとする課題】
【０００６】
複数のカラーグレーディング処理結果（又はその処理パラメータ）を保存する場合、その後の補充的又は補完的なカラーグレーディング処理のオペレータは、保存された各処理結果を全て事前に確認する必要がある。このような確認作業は、保存された処理結果が多くなるほど過重となり、作業効率を損なう。
【０００７】
従って、保存された複数のカラーグレーディング処理結果の優先度を事後のオペラータ又はカラーグレーディング処理装置に伝達する手段が望まれる。
【０００８】
本発明は、このような状況に鑑み、画像の見た目の調整処理を容易に行えるようにした画像処理システム及び方法並びに撮像装置を提示することを目的とする。
【課題を解決するための手段】
【０００９】
本発明に係る画像処理システムは、画像入力手段と、前記画像入力手段により入力された画像の見た目を調整パラメータに従い調整する画像処理手段と、前記画像処理手段による１以上の調整の優先度を、対応する前記調整パラメータに設定する設定手段と、前記画像入力手段により入力された前記画像を記録媒体に記録する記録手段であって、前記画像処理手段による前記１以上の調整の各調整パラメータと前記優先度とを前記画像に関連付けて前記記録媒体に記録する記録手段とを有することを特徴とする。
【発明の効果】
【００１０】
本発明によれば、仮の又は事前の見た目調整に優先度を設定し記録するので、撮影後に、どの調整を優先すべきかが明確になり、作業効率が向上する。
【図面の簡単な説明】
【００１１】
【図１】本発明の一実施例の全体構成図である。
【図２】本実施例のデジタルカメラの概略構成ブロック図である。
【図３】デジタルカメラの画像処理部の概略構成ブロック図である。
【図４】本実施例の動作フローチャートである。
【図５】仮カラーグレーディング装置の概略構成ブロック図である。
【図６】仮カラーグレーディング装置の画像処理部の概略構成ブロック図である。
【図７】ＣＤＬとＣＤＬ生成条件を取得する処理のフローチャートである。
【図８】カラーグレーディング処理の説明例である。
【図９】ＣＤＬとＣＤＬ生成条件リストの例を示す図である。
【図１０】優先度設定処理のフローチャートである。
【図１１】カラーグレーディング装置の種類と優先度ポイントの対応例を示す表である。
【図１２】優先度をＣＤＬに関連付けたＣＤＬ情報の例である。
【図１３】ＣＤＬ情報を画像ファイルに埋め込む構成例である。
【図１４】優先度の設定を仮カラーグレーディング装置側で行う場合のシーケンス図である。
【図１５】仮カラーグレーディング装置における優先度設定処理のフローチャートである。
【発明を実施するための形態】
【００１２】
以下、図面を参照して、本発明の実施例を詳細に説明する。
【実施例１】
【００１３】
図１は、本発明に係る画像処理システムの一実施例の全体構成図を示す。１００は撮像装置として使用されるデジタルカメラ、１４、１８は画像を表示する外部モニタである。１２は撮影時の画像に対して色または輝度の補正などの仮カラーグレーディング処理を施す仮カラーグレーディング装置である。１６は撮影後にデジタルカメラ１０の撮像画像に本カラーグレーディング処理を施す本カラーグレーディング装置である。
【００１４】
デジタルカメラ１０は、撮像画像を図示しない記録媒体に記録すると同時に、仮カラーグレーディング装置１２に出力する。仮カラーグレーディング装置１２は、デジタルカメラ１０からの撮像画像に、パラメータの異なる大まかな複数の仮カラーグレーディング処理を施し、その結果をデジタルカメラ１０に返送する。デジタルカメラ１０は、仮カラーグレーディング装置１２からの複数の仮カラーグレーディング処理の処理パラメータを受け取り、各処理パラメータに優先度を設定して記録媒体に記録する。撮影終了後に、デジタルカメラ１０から本カラーグレーディング装置１６に撮影画像と、仮カラーグレーディング処理の処理パラメータ及びその優先度を伝送する。そして、本カラーグレーディング装置１６のオペレータが、優先度に基づき仮カラーグレーディング処理を選択し、本カラーグレーディング処理を行う。
【００１５】
図２は、デジタルカメラ１０の概略構成ブロック図を示す。１０２はズームレンズ及びフォーカスレンズを含むレンズ群である。１０４は絞り機能を備えるシャッタである。１０６は光学像を電気信号に変換するＣＣＤ撮像素子またはＣＭＯＳ撮像素子等で構成される撮像部である。１０８は、撮像部１０６からのアナログ画像信号をデジタル画像信号に変換するＡ／Ｄ変換器である。１１０はＡ／Ｄ変換器１０８から出力される画像データにホワイトバランス処理、ガンマ処理及び色補正処理などの各種画像処理を行う画像処理部である。１１２は画像メモリである。１１４は画像メモリ１１２を制御するメモリ制御部である。１１６はメモリ制御部１１４からの画像データをアナログ画像信号に変換するＤ／Ａ変換器である。１１８はＬＣＤ（液晶ディスプレイ）等の表示器である。１２０は画像データを符号化復号化するコーデック（ＣＯＤＥC）である。
【００１６】
１２２は記録媒体１２４とのインタフェースＩ／Ｆである。記録媒体１２４は、例えば、メモリカードまたはハードディスク等からなる。１２６はカラーグレーディング装置１２，１６に画像データなどを出力する外部出力Ｉ／Ｆである。１２８はデジタルカメラ１０のシステム全体を制御するシステム制御部である。
【００１７】
１３２は各種の操作指示をシステム制御部１２８に入力する操作部、１３４は電源スイッチである。１３６は電池などの電源部１３８の装着の有無、電池の種類及び電池残量の検出を行う電源制御部である。
【００１８】
１４０は電気的に消去・記録可能な不揮発性メモリであり、例えばＥＥＰＲＯＭ等が用いられる。
【００１９】
１４２は各種制御に用いる経過時間を計測し、現在日時を出力するシステムタイマである。１４４はシステム制御部１２８の動作用の定数、変数及び不揮発性メモリ１４０から読みだしたプログラム等を展開するシステムメモリである。１４６は仮カラーグレーディング装置１２との通信を行う通信部である。通信部１４６は、機能的には、本カラーグレーディング装置１６とも通信可能である。
【００２０】
デジタルカメラ１０における被写体撮影時の基本的な処理の流れを説明する。撮像部１０６は、レンズ群１０２及びシャッタ１０４を介して入射した被写体高額像を光電変換し、そのアナログ画像信号をＡ／Ｄ変換器１０８に出力する。Ａ／Ｄ変換器１０８は、撮像部１０６からのアナログ画像信号をデジタル画像信号に変換し、画像処理部１１０に出力する。
【００２１】
画像処理部１１０は、Ａ／Ｄ変換器１０８からの画像データ又はメモリ制御部１１４から読み出した画像データに対し、ホワイトバランスなどの色変換処理及びガンマ処理などを行い、ベイヤーＲＧＢデータの画像データを出力する。ベイヤーＲＧＢ形式で実施例を説明するが、他の形式、例えば、輝度・色差信号Ｙ、Ｒ−Ｙ、Ｂ−Ｙの形式の画像データであっても良い。
【００２２】
画像処理部１１０から出力された画像データは、メモリ制御部１１４を介して画像メモリ１１２に書き込まれる。画像処理部１１０はまた、撮像画像データを用いて所定の演算処理を行い、その演算結果をシステム制御部１２８に供給し、システム制御部１２８は、画像処理部１１０からの演算結果を使ってレンズ群１０２の露光とフォーカスを制御する。すなわち、いわゆるＴＴＬ（スルー・ザ・レンズ）方式のＡＦ（オートフォーカス）処理とＡＥ（自動露出）処理が行われる。画像処理部１１０は更に、撮像画像データを解析して光源を推定し、推定した光源に基づきＡＷＢ（オートホワイトバランス）処理も行う。
【００２３】
画像メモリ１１２は、撮像部１０６から出力された画像データを一時記憶し、コーデック１２０は、画像メモリ１１２に記憶された画像データをＭＰＥＧなどの規格に基づき圧縮符号化する。
【００２４】
画像メモリ１１２はまた、表示部１１８に表示するための画像データを記憶する。Ｄ／Ａ変換器１１６は、画像メモリ１１２に格納されている表示用画像データをアナログ信号に変換して表示部１１８に供給する。表示部１１８は、Ｄ／Ａ変換器１１６からのアナログ画像信号に応じた画像を表示する。
【００２５】
以上の基本的な動作以外に、システム制御部１２８は、不揮発性メモリ１４０に記憶される制御プログラムを実行することで、以下に説明する各処理を実現する。システム制御部１２８は、動作用の定数及び変数並びに不揮発性メモリ１４０から読み出したプログラム等をシステムメモリ１４４に展開する。
【００２６】
図３は、画像処理部１１０の概略構成ブロック図を示す。３０２は色信号生成部、３０４はＷＢ増幅部、３０６は色補正処理部、３０８はガンマ処理部、２１０は輝度・色差信号生成部である。
【００２７】
画像処理部１１０には、ベイヤーＲＧＢ形式の画像データが入力する。画像処理部１１０は、ベイヤーＲＧＢ形式（ＲＡＷ形式）のまま画像データを記録する場合、入力する画像データをベイヤー形式のまま、記録Ｉ／Ｆ１２２を介して記録媒体１２４に供給する。
【００２８】
色信号生成部３０２は、画像処理部１１０に入力したベイヤーＲＧＢ形式の画像データから全画素に対応した色成分信号Ｒ，Ｇ，Ｂを生成し、ＷＢ増幅部３０４に出力する。ＷＢ増幅部３０４は、システム制御部１２８が算出するホワイトバランスゲイン値に基づき各色成分信号Ｒ，Ｇ，Ｂのゲインを調整することで、ホワイトバランスを調整する。
【００２９】
色補正処理部３０６は、ＷＢ増幅部３０４からの各色成分信号Ｒ，Ｇ，Ｂに対して３×３のマトリクス処理または３ＤのＬＵＴ（Look Up Table）処理により色調を補正する。ガンマ処理部３０８は、Ｒｅｃ．７０９などの規格に沿ったガンマまたはログ形式のガンマを掛けるなどのガンマ補正を行う。
【００３０】
輝度・色差信号生成部３１０は、色補正処理部３０６からの各色成分信号Ｒ，Ｇ，Ｂから輝度信号Ｙ及び色差信号Ｒ−Ｙ、Ｂ−Ｙを生成する。輝度・色差信号生成部３１０から出力される輝度信号Ｙ及び色差信号Ｒ−Ｙ、Ｂ−Ｙは、外部出力Ｉ／Ｆ１２６を介して仮カラーグレーディング装置１２に供給される。
【００３１】
図４は、デジタルカメラ１０と仮カラーグレーディング装置１２との連携動作のフローチャートを示す。図４を参照して、仮カラーグレーディング装置１２による複数の仮カラーグレーディング処理とその優先度をデジタルカメラ１０に記録する処理を説明する。なお、本実施例では、カラーグレーディング処理の変換パラメータの表現の一例として、ＣＤＬ（Color Decision List）を採用する。ＣＤＬは、より一般的には、カラーグレーディング処理に代表される色調整処理の調整パラメータを示す色調整情報である。
【００３２】
ステップＳ４０１で、ユーザによるシャッタボタンの押下に応じて、デジタルカメラ１０は、撮像を実行する。すなわち、システム制御部１２８は、撮像部１０６から被写体光学像の画像信号をＡ／Ｄ変換器１０８に読み出させる。Ａ／Ｄ変換器１０８は撮像部１０６からの画像信号をデジタル画像信号に変換し、画像処理部１１０に供給する。
【００３３】
ステップＳ４０２で、デジタルカメラ１０は、画像処理部１１０から出力された輝度・式差信号を外部Ｉ／Ｆ１２６を介して仮カラーグレーディング装置１２へ出力する。仮カラーグレーディング装置１２は、予め設定された１以上のＣＤＬ生成条件またはオペレータによる指定に従いＣＤＬを決定し、決定された各ＣＤＬに従う仮カラーグレーディング処理を、デジタルカメラ１０からの画像信号に施す。仮カラーグレーディング処理の詳細は、後述する。ＣＤＬ生成条件は、調整パラメータであるＣＤＬを決定する調整パラメータ生成条件とも言える。
【００３４】
ステップＳ４０３で、デジタルカメラ１０は、仮カラーグレーディング装置１２が撮像画像に適用した各仮カラーグレーディング処理のＣＤＬとＣＤＬ生成条件を仮カラーグレーディング装置１２から取得する。
【００３５】
ステップＳ４０４で、デジタルカメラ１０のシステム制御部１２８は、ＣＤＬ生成条件を基にして、各仮カラーグレーディング処理に対する優先度を設定する。この処理の詳細は、後述する。
【００３６】
ステップＳ４０５で、デジタルカメラ１０は、ステップＳ４０４で決定した優先度情報を該当するＣＤＬと対応させたＣＤＬ情報を生成する。ステップＳ４０６で、デジタルカメラ１０は、生成したＣＤＬ情報を対応する撮像画像の画像ファイルのメタデータとして記録媒体１２４に記録する。
【００３７】
図５は、仮カラーグレーディング装置１２の概略構成ブロック図である。５０２はデジタルカメラ１０との入出力を制御する外部Ｉ／Ｆである。５０４は画像メモリ、５０６は画像データを圧縮符号化・復号化するコーデックである。５０８は色と階調の変換などの各種画像処理を行う画像処理部、５１０は外部モニタへの出力を制御する外部モニタＩ／Ｆである。
【００３８】
５１２はカラーグレーディング装置１２のシステム全体を制御するシステム制御部である。５１４はマウス、キーボード及びタッチパネルなどから構成される各種動作指示入力のための操作部である。５１６は電源スイッチ、５１８は電源部である。
【００３９】
５２０は電気的に消去・記録可能な不揮発性メモリである。５２２は、各種制御に用いる経過時間を計測し、現在日時を出力するシステムタイマである。５２４はシステム制御部５１２の動作用の定数、変数及び不揮発性メモリ５２０から読みだしたプログラム等を展開するシステムメモリである。５２６はデジタルカメラ１０との通信を行う通信部である。
【００４０】
図５に示す構成の仮カラーグレーディング装置１２の基本的な動作の流れを説明する。ここでは、仮カラーグレーディング装置１２は、デジタルカメラ１０の外部出力Ｉ／Ｆ１２６から仮カラーグレーディング装置１２の外部Ｉ／Ｆ５０２に、仮カラーグレーディング処理のための画像データが入力する。
【００４１】
システム制御部５１２は、外部Ｉ／Ｆ５０２にデジタルカメラ１０から入力した画像データを画像メモリ５０４に格納する。システム制御部５１２はまた、ユーザ操作または後述の制御によって画像処理部５０８のパラメータを決定し、画像処理部５０８に設定する。画像処理部５０８は、設定されたパラメータに従って仮カラーグレーディング処理を含む画像処理を、画像メモリ５０４の画像データに適用し、画像処理結果の画像データを画像メモリ５０４に書き込む。また、システム制御部５１２は、画像処理後の画像データを画像メモリ５０４から読み出し、外部モニタＩ／Ｆ５１０を介して外部モニタ１４に出力する。
【００４２】
図６は、画像処理部５０８の概略構成ブロック図を示す。ＲＧＢ信号生成部６０２は、入力する輝度・色差信号Ｙ，Ｒ−Ｙ，Ｂ−ＹをＲＧＢ信号に変換し、生成したＲＧＢ信号をＩＤＴ（Input Device Transform）処理部６０４に出力する。ＩＤＴ処理部６０４は、ＲＧＢ信号生成部６０２からのＲＧＢ信号を基準ＲＧＢ信号に変換する。本実施例では、基準ＲＧＢ信号として、映画芸術科学アカデミー（ＡＭＰＡＳ）が提案しているＡＣＥＳ（Academy Color Encode Specification）規格を用いる。すなわち、ＩＤＴ処理部６０４は、入力ＲＧＢ信号をＡＣＥＳ規格のＡＣＥＳ_ＲＧＢ信号に変換する。ＡＣＥＳ＿ＲＧＢ信号は、被写体輝度に対してリニアであり、被写体に忠実な色再現特性を持つという特性を有する。ＡＣＥＳ＿ＲＧＢ信号への変換処理は、デガンマ処理、色再現性の補正処理及び色空間の変換処理から構成される。これらＡＣＥＳ＿ＲＧＢへの変換処理のパラメータは、デジタルカメラ１０の画像処理部１１０の特性と撮影時の光源特性に応じて決定される。ＩＤＴ処理部６０４は、ＡＣＥＳ＿ＲＧＢ信号（基準ＲＧＢ信号）をカラーグレーディング処理部６０６へ出力する。
【００４３】
カラーグレーディング処理部６０６は、仮カラーグレーディング処理として、操作部５１４に対するユーザ操作に従いＩＤＴ処理部６０４からのＡＣＥＳ＿ＲＧＢ信号のトーンカーブを調整する。すなわち、トーンカーブを調整することで、ユーザの希望する見た目を実現する。カラーグレーディング処理部６０６は、仮カラーグレーディング処理としてのトーン調整後の画像データをＲＲＴ（Reference Rendering Transform）処理部６０８に出力する。
【００４４】
ＲＲＴ処理部６０８は、ＡＣＥＳの規格に基づき、カラーグレーディング処理部６０６から入力する画像データに対して基準となるフィルム調の見た目となる画像処理を施す。ＲＲＴ処理部６０８は、処理後の画像データをＯＤＴ（Output Device Transform）処理部６１０に出力する。
【００４５】
ＯＤＴ処理部６１０は、ＲＲＴ処理部６０８から入力する画像データに、外部モニタ１４の色域に収まるような変換を行う。例えば、接続された外部モニタ１４がＲｅｃ.７０９規格に対応したモニタである場合、ＯＤＴ処理部６１０は、Ｒｅｃ．７０９の色域に収まるように入力画像データを変換し、Ｒｅｃ．７０９規格のガンマ処理を施す。ＯＤＴ処理部６１０は、変換後の画像データを外部モニタＩ／Ｆ５１０を介して外部モニタ１４に供給する。
【００４６】
図７は、仮カラーグレーディング装置１２により複数の仮カラーグレーディング処理結果を得るプロセスのフローチャートを示す。図７を参照して、複数の仮カラーグレーディング処理結果を得る手順を説明する。説明例として図８（ａ）に示す撮像画像に対して、図８（ｂ）、（ｃ）に示す２種類の仮カラーグレーディング処理結果を得る場合を想定する。図９（ａ）は、図８（ｂ）、（ｃ）に示す処理結果を得るためのＣＤＬ情報例を示し、図９（ｂ）は、図９（ａ）に示すＣＤＬ情報例を生成する生成条件例を示す。
【００４７】
ステップＳ７０１で、仮カラーグレーディング装置１２は、図９（ａ）に示すＣＤＬ９０１の下で１つ目の仮カラーグレーディング処理を実行して、図８（ｂ）に示す結果を得る。ＣＤＬ９０１には、カラーグレーディングによる変換パラメータとしてＲＧＢ毎のパワー、スロープ及びオフセットが含まれる。図９に示す例では、仮カラーグレーディング装置１２は、他のＣＤＬと識別するための識別情報ＣＤＬ  ｉｄも併せて、ＣＤＬ９０１を記憶する。
【００４８】
ステップＳ７０２で、仮カラーグレーディング装置１２のシステム制御部５１２は、ステップＳ７０１でＣＤＬ９０１の生成条件を、図９（ｂ）に示すようにＣＤＬ生成条件リスト９０３として記憶する。ＣＤＬ生成条件は要素として、カラーグレーディング装置の種類、画像表示機器の種類、ＣＤＬ作成日時、及びカラーグレーディング処理の際にベースとなるＣＤＬ（ベースＣＤＬ）の利用の有無の情報の中で少なくとも１つ以上の条件を含む。ベースＣＤＬの利用については、例えば、２つ目のカラーグレーディング処理を施す際に、１つ目のカラーグレーディング結果をスタート地点としてカラーグレーディング処理を施すような場合を指す。すなわち、カラーグレーディン処理を経た画像にさらにカラーグレーディング処理を施す場合に、「ベースとなるＣＤＬを利用」したことになる。ＣＤＬ生成条件リスト９０３とＣＤＬ９０１とを関連付けるために、ＣＤＬ９０１に記載されたＣＤＬ  ｉｄと同じＣＤＬ  ｉｄがＣＤＬ生成条件リスト９０３にも記載する。
【００４９】
ステップＳ７０３で、仮カラーグレーディング装置１２のシステム制御部５１２は、他のカラーグレーディング処理を施すか否かを判断する。他のカラーグレーディング処理を施す場合、システム制御部５１２は、ステップＳ７０１に戻り、上述の処理を繰り返す。他のカラーグレーディング処理を施さない場合、システム制御部５１２は、図７に示す処理を終了する。
【００５０】
図８に示す例では、ステップＳ７０１、Ｓ７０２は、異なるＣＤＬ９０１、９０２の下で２回実行される。即ち、１回目で、ＣＤＬ９０１とＣＤＬ生成条件リスト９０３が記憶され、２回目で、ＣＤＬ９０２とＣＤＬ生成条件リスト９０４が記憶される。図８に示す例では、システム制御部５１２は、２回のカラーグレーディング処理で、図７に示すフローを終了する。
【００５１】
仮カラーグレーディング装置１２は、所定回数（ここでは２回）の仮カラーグレーディング処理に対するＣＤＬとＣＤＬ生成条件リストをデジタルカメラ１０に送信する。
【００５２】
デジタルカメラ１０は、取得した各ＣＤＬに対し、対応するＣＤＬ生成条件に従い優先度を算出する。図１０は、その優先度算出のフローチャートを示す。
【００５３】
デジタルカメラ１０のシステム制御部１２８は、ステップＳ１００１，Ｓ１００３のループ処理により、ＣＤＬの数だけステップＳ１００２をループする。ステップＳ１００２で、システム制御部１２８は、ＣＤＬ生成条件リストの記載内容に従い、対応するＣＤＬの優先度ポイントを算出する。ＣＤＬ生成条件リストの各項目には予めその内容に応じたポイントが設定されており、システム制御部１２８は、ＣＤＬ生成条件リストの各項目の内容に応じたポイントを加算し、その加算結果を、対応するＣＤＬの優先度ポイントとする。
【００５４】
図９（ｂ）に示すＣＤ生成条件リストの場合を例に優先度算出方法を説明する。図１１は、カラーグレーディング装置の種類と優先度ポイントの対応例を示す。システム制御部１２８は、図１１に示すような対応表を保持しており、各ＣＤＬ生成条件リストに記載されるカラーグレーディング装置の種類に応じる優先度ポイントを採用する。画像表示機器の種類についても同様である。ベースＣＤＬの利用については、例えば、その利用がない場合は１ポイントを加算し、利用している場合は１０ポイントを加算する。ＣＤＬ作成日時については例えば、他のＣＤＬ生成条件リストと比較し、最も作成日時の早いＣＤＬに１ポイントを加算し、次に作成日時の早いものに２ポイントを加算するというように、作成日時が遅いほどポイントが高くなるようにする。
【００５５】
全てのＣＤＬに対して優先度ポイントの算出が終了すると、システム制御部１２８は、ステップＳ１００１からＳ１００３のループを抜ける。
【００５６】
ステップＳ１００４で、システム制御部１２８は、ステップＳ１００２で算出された優先度を対応するＣＤＬに設定する。具体的には、システム制御部１２８は、算出された各ＣＤＬの優先度ポイントを比較し、優先度ポイントの大きな順に各ＣＤＬが優先されるように優先度を設定する。
【００５７】
例えば、図９（ａ）に示すように２つのＣＤＬ９０１，９０２が存在し、ＣＤＬ９０１の優先度ポイントがＣＤＬ９０２の優先度ポイントよりも低かったとする。この場合、ＣＤＬ９０２の優先度を１に、ＣＤＬ９０１の優先度を２と設定する。
【００５８】
デジタルカメラ１０は、このように計算された各ＣＤＬの優先度を、ＣＤＬ情報とともに記録媒体１２４に記録する。図１２は、記録媒体１２４に記録するファイルの内容例を示す。ファイルには、図１２に示すように、ＣＤＬ  ｉｄ、優先度及びＣＤＬ（変換パラメータ）が記載される。
【００５９】
ＣＤＬ  ｉｄ、優先度及びＣＤＬ（変換パラメータ）を、対応する画像データを収容するファイルにメタデータとして格納しても良い。図１３は、その構造例を示す。
【００６０】
１３０１は画像ファイル全体を示す。画像ファイル１３０１は、メタデータ１３０２と画像フレームデータ１３０５とからなる。メタデータ１３０２は、２つのＣＤＬ１３０３，１３０４を含む。図１３に示す例では、画像ファイル１３０１のヘッダ部にメタデータ１３０２を収容し、メタデータ１３０２の中に２つのＣＤＬ１３０３，１３０４を含めている。メタデータとしては、ＣＤＬの他に、メーカ名、カメラの機種名及び撮影日時などが含まれる。メタデータに複数のＣＤＬを収容する場合、優先度の高いＣＤＬから順に配置する。
【００６１】
カラーグレーディング情報としてＣＤＬを使用する例を説明したが、その他の形式、例えば、ルックアップテーブル（ＬＵＴ）形式を使っても良い。ＣＤＬの優先度を設定するためのＣＤＬ条件生成リストの項目は、ＣＤＬ生成時の環境情報であればどのようなものであってもよく、例えば、カラーグレーディング結果を表示するモニタの解像度などを含めても良い。ＣＤＬ条件生成リストの各項目を等価なものとして各ＣＤＬの優先度ポイントを算出したが、これに限るものではない。ＣＤＬ条件生成リストの各項目に異なる重みをつけ、ＣＤＬの優先度ポイントを算出しても良い。デジタルカメラ１０で算出した優先度ポイントを基にしてＣＤＬの優先度を設定したが、ユーザの判断により、各ＣＤＬの優先度を変更しても良い。
【００６２】
２種類のＣＤＬについて優先度を設定するケースを説明したが、新たにＣＤＬが追加された場合、図１０に示す優先度設定処理を再実行してもよいし、ユーザの判断によって各ＣＤＬの優先度を変更しても良い。
【００６３】
図１３では、ＣＤＬ情報を画像ファイルに埋め込んだが、画像ファイルと関連つけた別ファイルにＣＤＬ情報を収容しても良い。また、ＣＤＬと画像データを別ファイルに記録し、これらのファイルを管理ファイルで対応つけて管理するようにしても良い。
【実施例２】
【００６４】
上記実施例では、デジタルカメラ１０が各ＣＤＬの優先度を決定したが、仮カラーグレーディング装置１２が決定するようにしても良い。すなわち、ＣＤＬに優先度を設定する手段をデジタルカメラ１０に置くか、仮カラーグレーディング装置１２に置くかは、任意である。また、ＣＤＬ生成条件情報を本カラーグレーディング装置１６に伝送することで、本カラーグレーディング装置１６が各ＣＤＬの優先度を決定することも可能になる。
【００６５】
図１４は、仮カラーグレーディング装置１２が各ＣＤＬの優先度を決定する場合の、デジタルカメラ１０と仮カラーグレーディング装置１２のシーケンス図である。
【００６６】
ステップＳ１４０１で、ユーザによるシャッタボタンの押下に応じて、デジタルカメラ１０は、撮像を実行する。すなわち、システム制御部１２８は、撮像部１０６から被写体光学像の画像信号をＡ／Ｄ変換器１０８に読み出させる。Ａ／Ｄ変換器１０８は撮像部１０６からの画像信号をデジタル画像信号に変換し、画像処理部１１０に供給する。ステップＳ１４０２で、デジタルカメラ１０は、画像処理部１１０から出力された輝度・式差信号を外部Ｉ／Ｆ１２６を介して仮カラーグレーディング装置１２へ出力する。
【００６７】
ステップＳ１４０３で、仮カラーグレーディング装置１２は、複数のＣＤＬ生成条件によりそれぞれ生成される各ＣＤＬに基づく仮カラーグレーディング処理を、デジタルカメラ１０からの画像データに適用する。
【００６８】
ステップＳ１４０４で、仮カラーグレーディング装置１２は、後述する方法で各ＣＤＬに対する優先度を決定し、ステップＳ１４０５で、ＣＤＬとその優先度をデジタルカメラ１０に伝送する。
【００６９】
ステップＳ１４０６で、デジタルカメラ１０は、仮カラーグレーディング装置１２からのＣＤＬとその優先度を互いに関連付けたＣＤＬ情報を生成する。ステップＳ１４０７で、デジタルカメラ１０は、生成したＣＤＬ情報を対応する撮像画像の画像ファイルのメタデータとして記録媒体１２４に記録する。
【００７０】
図１５は、優先度設定処理（Ｓ１４０４）の詳細なフローチャートを示す。図１５を参照して、仮カラーグレーディング装置１２が複数のＣＤＬに対して優先度を設定する処理の詳細を説明する。
【００７１】
ステップＳ１５０１で、システム制御部５１２は、各ＣＤＬのＣＤＬ生成条件を取得する。ＣＤＬ生成条件の項目としては、画像表示機器の種類、ＣＤＬ作成日時及びベースＣＤＬの利用の有無などが挙げられる。
【００７２】
ステップＳ１５０２，Ｓ１５０４のループ処理により、ＣＤＬの数だけステップＳ１５０３をループする。ステップＳ１５０３で、システム制御部５１２は、ＣＤＬ生成条件リストの記載内容に従い、対応するＣＤＬの優先度ポイントを算出する。この処理は、図１０のステップＳ１００２の処理と同じである。
【００７３】
全てのＣＤＬに対して優先度ポイントの算出が終了すると、システム制御部５１２は、ステップＳ１５０２からＳ１５０４のループを抜ける。
【００７４】
ステップＳ１５０５で、システム制御部５１２は、ステップＳ１５０３で算出された優先度を対応するＣＤＬに設定する。具体的には、システム制御部５１２は、算出された各ＣＤＬの優先度ポイントを比較し、優先度ポイントの大きな順に各ＣＤＬが優先されるように優先度を設定する。
【００７５】
優先度が設定されたら、仮カラーグレーディング装置１２は、ＣＤＬとその優先度を互いに関連づけてデジタルカメラ１０に送信する。ＣＤＬと優先度を関連づける方法としては、ＣＤＬと優先度を同じファイルに記録する方法や、ＣＤＬと優先度を別ファイルに記録しつつそれらのファイルを管理する管理ファイルを作成する方法等が考えられる。
【００７６】
上記実施例では、撮影現場での仮カラーグレーディング処理と、撮影終了後での通常は編集スタジオ等での本カラーグレーディングを例にその動作を説明したが、前処理と後処理の組み合わせでもよい。また、後処理は前処理に続くものでも、前処理をキャンセルして新たに開始するものでもよい。
【００７７】
システム制御部１２８，５１２による制御は、１つのハードウエアが行ってもよいし、複数のハードウエアが処理を分担することで行ってもよい。
【００７８】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７９】
本発明の目的は、前述した実施例の機能を実現するソフトウェアのプログラムコードを記録した記憶媒体を装置に供給することによっても、達成される。このとき、供給された装置の制御部を含むコンピュータ（またはＣＰＵやＭＰＵ）は、記憶媒体に格納されたプログラムコードを読み出し実行する。記憶媒体から読み出されたプログラムコード自体が、上述の実施例の機能を実現することになり、プログラムコード自体及びそのプログラムコードを記憶した記憶媒体は、本発明を構成することになる。
【００８０】
プログラムコードを供給するための記憶媒体としては、例えば、磁気ディスク、ハードディスク、光ディスク、光磁気ディスク、ＣＤ−ＲＯＭ、ＣＤ−Ｒ、磁気テープ、不揮発性のメモリカード又はＲＯＭ等を用いることができる。
【００８１】
上述のプログラムコードの指示に基づき、装置上で稼動しているＯＳ（基本システムやオペレーティングシステム）などが処理の一部又は全部を行い、その処理によって前述した実施例の機能が実現される場合も含まれる。
【００８２】
さらに、記憶媒体から読み出されたプログラムコードが、装置に挿入された機能拡張ボードやコンピュータに接続された機能拡張ユニットに備わるメモリに書き込まれ、前述した実施形態の機能が実現される場合も含まれる。このとき、そのプログラムコードの指示に基づき、その機能拡張ボードや機能拡張ユニットに備わるＣＰＵ等が実際の処理の一部又は全部を行う。
【００８３】
以上、本発明の好ましい実施例を説明したが、本発明は、これらの実施例に限定されず、その要旨の範囲内で種々の変形及び変更が可能である。
【００８４】
また、本発明をその好適な実施形態に基づいて詳述したが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【図１】
2016220117.tif 000003
【図２】
2016220117.tif 000004
【図３】
2016220117.tif 000005
【図４】
2016220117.tif 000006
【図５】
2016220117.tif 000007
【図６】
2016220117.tif 000008
【図７】
2016220117.tif 000009
【図８】
2016220117.tif 000010
【図９】
2016220117.tif 000011
【図１０】
2016220117.tif 000012
【図１１】
2016220117.tif 000013
【図１２】
2016220117.tif 000014
【図１３】
2016220117.tif 000015
【図１４】
2016220117.tif 000016
【図１５】
2016220117.tif 000017